(57)【要約】【課題】異なる角度から画像をキャプチャし、画像同期ユニットにより画像を同期で表示することにより立体画像を得て、立体画像のキャプチャ及び再生を行う撮像装置を提供する。【解決手段】撮像装置は、オーディオビデオキャプチャ機構及び出力機構を備える。オーディオビデオキャプチャ機構は、オーディオビデオ処理ユニット１１、画像同期ユニット１２、第１の撮像ユニット１３、第２の撮像ユニット１４及び音声出入力ユニット１５を有する。出力機構は、オーディオビデオキャプチャ機構の側部に可動可能に接続され、一方の面部に設けられ、オーディオビデオキャプチャ機構に接続された表示ユニット２１と、他方の面部に設けられた第２の撮像ユニット１４とを有する。【選択図】図１
0003162250.tif 000002
【実用新案登録請求の範囲】
【請求項１】
オーディオビデオキャプチャ機構及び出力機構を備える撮像装置であって、
前記オーディオビデオキャプチャ機構は、オーディオビデオ処理ユニットと、前記オーディオビデオ処理ユニットに接続された画像同期ユニットと、前記オーディオビデオ処理ユニットに接続された第１の撮像ユニットと、前記オーディオビデオ処理ユニットに接続された第２の撮像ユニットと、前記オーディオビデオ処理ユニットに接続された音声出入力ユニットと、を有し、
前記出力機構は、前記オーディオビデオキャプチャ機構の側部に可動可能に接続され、一方の面部に設けられ、前記オーディオビデオキャプチャ機構に接続された表示ユニットと、他方の面部に設けられた第２の撮像ユニットと、を有することを特徴とする撮像装置。
【請求項２】
前記オーディオビデオキャプチャ機構の前記オーディオビデオ処理ユニット、前記画像同期ユニット、前記第１の撮像ユニット、前記第２の撮像ユニット及び前記音声出入力ユニットは、ハウジングに接続され、
前記オーディオビデオ処理ユニットは、オーディオビデオプロセッサ、操作インターフェイス、電源供給装置及びメモリを有することを特徴とする請求項１に記載の撮像装置。
【請求項３】
前記第１の撮像ユニットは、レンズ及び受光部を有し、
前記第２の撮像ユニットは、レンズ及び受光部を有し、
前記受光部のそれぞれは、２〜４ｃｍの間隔をおいて同一の結像面に配置されることを特徴とする請求項１に記載の撮像装置。
【請求項４】
前記出力機構は、カバーと、前記カバーの側部に設けられ、前記オーディオビデオキャプチャ機構に接続された回転軸と、前記カバーの一方の面部に設けられたウィンドウ部と、を有し、
前記表示ユニットは、前記ウィンドウ部に対応したタッチパネル又は液晶表示パネルであり、
前記第２の撮像ユニットは、前記カバーの他方の面部に設けられることを特徴とする請求項１に記載の撮像装置。
【考案の詳細な説明】
【技術分野】
【０００１】
本考案は、撮像装置に関し、特に、撮影する際、第１の撮像ユニット及び第２の撮像ユニットを利用し、異なる角度から画像をキャプチャし、画像同期ユニットにより画像を同期で表示することにより立体画像を得て、立体画像のキャプチャ及び再生を行う撮像装置に関する。
【背景技術】
【０００２】
従来の撮像装置は、撮像機と、撮像機の側部へ可動可能に設けられた表示モニタと、を含む。撮像装置は、使用する際、撮像機の側部から折り畳まれた状態の表示モニタを開き、撮像機により必要なオーディオビデオをキャプチャ（又は再生）することができる上、撮影するときは、キャプチャした画像を表示モニタにより表示する。
【０００３】
しかし、従来の撮像装置は、一般に１つのレンズしか備えていないため、画像を撮影したり再生したりする際、立体（３Ｄ）画像を得ることができず、２次元の画像しか得られなかったため、ユーザのニーズを満足させることができなかった。
【０００４】
そのため、立体画像をキャプチャしたり再生したりすることができる撮像装置が求められていた。
【考案の概要】
【考案が解決しようとする課題】
【０００５】
本考案の目的は、撮影する際、第１の撮像ユニット及び第２の撮像ユニットを利用し、異なる角度から画像をキャプチャし、画像同期ユニットにより画像を同期で表示することにより立体画像を得て、立体画像のキャプチャ及び再生を行う撮像装置を提供することにある。
【課題を解決するための手段】
【０００６】
上記課題を解決するために、本考案の第１の形態によれば、オーディオビデオキャプチャ機構及び出力機構を備える撮像装置であって、前記オーディオビデオキャプチャ機構は、オーディオビデオ処理ユニットと、前記オーディオビデオ処理ユニットに接続された画像同期ユニットと、前記オーディオビデオ処理ユニットに接続された第１の撮像ユニットと、前記オーディオビデオ処理ユニットに接続された第２の撮像ユニットと、前記オーディオビデオ処理ユニットに接続された音声出入力ユニットと、を有し、前記出力機構は、前記オーディオビデオキャプチャ機構の側部に可動可能に接続され、一方の面部に設けられ、前記オーディオビデオキャプチャ機構に接続された表示ユニットと、他方の面部に設けられた第２の撮像ユニットと、を有することを特徴とする撮像装置が提供される。
【０００７】
また、前記オーディオビデオキャプチャ機構の前記オーディオビデオ処理ユニット、前記画像同期ユニット、前記第１の撮像ユニット、前記第２の撮像ユニット及び前記音声出入力ユニットは、ハウジングに接続され、前記オーディオビデオ処理ユニットは、オーディオビデオプロセッサ、操作インターフェイス、電源供給装置及びメモリを有することが好ましい。
【０００８】
また、前記第１の撮像ユニットは、レンズ及び受光部を有し、前記第２の撮像ユニットは、レンズ及び受光部を有し、前記受光部のそれぞれは、２〜４ｃｍの間隔をおいて同一の結像面に配置されることが好ましい。
【０００９】
また、前記出力機構は、カバーと、前記カバーの側部に設けられ、前記オーディオビデオキャプチャ機構に接続された回転軸と、前記カバーの一方の面部に設けられたウィンドウ部と、を有し、前記表示ユニットは、前記ウィンドウ部に対応したタッチパネル又は液晶表示パネルであり、前記第２の撮像ユニットは、前記カバーの他方の面部に設けられることが好ましい。
【考案の効果】
【００１０】
本考案の撮像装置は、撮影する際、第１の撮像ユニット及び第２の撮像ユニットを利用し、異なる角度から画像をキャプチャし、画像同期ユニットにより画像を同期で表示することにより立体画像を得て、立体画像のキャプチャ及び再生を行うことができる。
【図面の簡単な説明】
【００１１】
【図１】本考案の一実施形態による撮像装置を示す分解斜視図である。
【図２】本考案の一実施形態による撮像装置を示す斜視図である。
【図３】本考案の一実施形態による撮像装置を使用するときの状態を示す模式図である。
【考案を実施するための形態】
【００１２】
以下、本考案の実施形態について図に基づいて説明する。なお、これによって本考案が限定されるものではない。
【００１３】
図１〜図３を参照する。図１〜図３に示すように、本考案の一実施形態による撮像装置は、オーディオビデオキャプチャ機構１及び出力機構２を含む。
【００１４】
上述のオーディオビデオキャプチャ機構１は、オーディオビデオ処理ユニット１１と、オーディオビデオ処理ユニット１１に接続された画像同期ユニット１２と、オーディオビデオ処理ユニット１１に接続された第１の撮像ユニット１３と、オーディオビデオ処理ユニット１１に接続された第２の撮像ユニット１４と、オーディオビデオ処理ユニット１１に接続された音声出入力ユニット１５と、を含む。オーディオビデオキャプチャ機構１のオーディオビデオ処理ユニット１１、画像同期ユニット１２、第１の撮像ユニット１３、第２の撮像ユニット１４及び音声出入力ユニット１５は、ハウジング１６に接続されている。オーディオビデオ処理ユニット１１は、オーディオビデオプロセッサ１１１、操作インターフェイス１１２、電源供給装置１１３（例えば、電池）及びメモリ１１４を含む。第１の撮像ユニット１３は、レンズ１３１及び受光部１３２を含む。第２の撮像ユニット１４は、レンズ１４１及び受光部１４２を含む。受光部１３２，１４２は、２〜４ｃｍの間隔をおいて同一の結像面に配置されている。
【００１５】
出力機構２は、オーディオビデオキャプチャ機構１の側部に可動可能に接続されている。出力機構２は、一方の面部に設けられ、オーディオビデオキャプチャ機構１に接続された表示ユニット２１と、他方の面部に設けられた第２の撮像ユニット１４と、を含む。出力機構２は、カバー２２と、カバー２２の側部に設けられ、オーディオビデオキャプチャ機構１のハウジング１６に接続された回転軸２３と、カバー２２の一方の面部に設けられたウィンドウ部２２１と、を含む。表示ユニット２１は、ウィンドウ部２２１に対応したタッチパネル又は液晶表示パネルでもよい。第２の撮像ユニット１４は、カバー２２の他方の面部に設けられている。
【００１６】
本実施形態の撮像装置を実際に使用する際は、カバー２２の側部に設けた回転軸２３を利用し、オーディオビデオキャプチャ機構１のハウジング１６の側部から、折り畳んだ状態の出力機構２を開き（本実施形態の出力機構２は、回転軸２３を利用し、折り畳んだ状態から開くが、ここでは詳しく述べない）、電源供給装置１１３を利用して操作に必要な電源を供給し、オーディオビデオプロセッサ１１１、操作インターフェイス１１２及びメモリ１１４を含むオーディオビデオ処理ユニット１１と、第１の撮像ユニット１３、第２の撮像ユニット１４、音声出入力ユニット１５及び画像同期ユニット１２とを組み合わせて用いることにより、必要なオーディオビデオをキャプチャして保存したり、読み出して再生したりすることができる。実際に撮影する際は、第１の撮像ユニット１３のレンズ１３１及び受光部１３２と、第２の撮像ユニット１４のレンズ１４１及び受光部１４２と、を利用し、異なる角度から画像をキャプチャし、画像同期ユニット１２により画像を同期で表示することにより立体画像を得て、メモリ１１４の中にその立体画像を保存する。
【００１７】
上述したことから分かるように、本考案の撮像装置は、撮影する際、第１の撮像ユニット及び第２の撮像ユニットを利用し、異なる角度から画像をキャプチャし、画像同期ユニットにより画像を同期で表示することにより立体画像を得て、立体画像のキャプチャ及び再生を行うことができる。
【００１８】
当該分野の技術を熟知するものが理解できるように、本考案の好適な実施形態を前述の通り開示したが、これらは決して本考案を限定するものではない。本考案の主旨と領域を逸脱しない範囲内で各種の変更や修正を加えることができる。従って、本考案の実用新案登録請求の範囲は、このような変更や修正を含めて広く解釈されるべきである。
【符号の説明】
【００１９】
１      オーディオビデオキャプチャ機構
２      出力機構
１１    オーディオビデオ処理ユニット
１２    画像同期ユニット
１３    第１の撮像ユニット
１４    第２の撮像ユニット
１５    音声出入力ユニット
１６    ハウジング
２１    表示ユニット
２２    カバー
２３    回転軸
１１１  オーディオビデオプロセッサ
１１２  操作インターフェイス
１１３  電源供給装置
１１４  メモリ
１３１  レンズ
１３２  受光部
１４１  レンズ
１４２  受光部
２２１  ウィンドウ部
【図１】
0003162250.tif 000003
【図２】
0003162250.tif 000004
【図３】
0003162250.tif 000005